(57)【要約】【課題】  基地局と基地局制御装置との間の伝送資源を有効活用することが可能な移動通信システムを提供する。【解決手段】  基地局制御装置２は移動局から急激な伝搬環境の変化があることの知らせを受けると、移動局の移動先が同じ基地局１が管理するセルであることを知り、基地局１にＭＡＣ−ｈｓの消失を指示すると同時に、Ｉｕｂ  ＴＢを維持することも指示する。基地局１はＭＡＣ−ｈｓを消失させて移動局のＨＳＤＰＡ利用を中断させるが、Ｉｕｂ  ＴＢを維持する。基地局制御装置２がＭＡＣ−ｈｓの生成を基地局１に指示すると、基地局１はその指示に基づいてＭＡＣ−ｈｓを生成し、維持していたＩｕｂ  ＴＢを用いて移動局のＨＳＤＰＡ利用を再開する。【選択図】      図１
2006229380.tif 000002
【特許請求の範囲】
【請求項１】
ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を基地局制御装置から受信するＭＡＣ（Ｍｅｄｉｕｍ  Ａｃｃｅｓｓ  Ｃｏｎｔｒｏｌ）−ｈｓ機能を持つ基地局と前記基地局制御装置との間の伝送資源を用いて前記ＨＳ−ＤＳＣＨの送受信を実現してＨＳＤＰＡ（Ｈｉｇｈ  Ｓｐｅｅｄ  ＤｏｗｎＬｉｎｋ  Ｐａｃｋｅｔ  Ａｃｃｅｓｓ）方式の伝送を行う移動通信システムであって、
前記基地局制御装置は、移動局から急激な伝搬環境の変化の通知を受けた時に前記基地局に前記ＭＡＣ−ｈｓの消失と前記伝送資源の維持とを指示する手段を有し、
前記基地局は、前記基地局制御装置からの指示に基づいて前記ＭＡＣ−ｈｓを消失させて前記移動局のＨＳＤＰＡ利用を中断させかつ前記伝送資源を維持する手段を有し、
前記基地局が、前記ＭＡＣ−ｈｓを新たに生成しかつ維持していた伝送資源を用いて前記移動局のＨＳＤＰＡ利用を再開させることを特徴とする移動通信システム。
【請求項２】
前記基地局制御装置は、前記急激な伝搬環境の変化の通知から前記移動局の移動先が同じ基地局の管理下のセルであると判断した時に前記ＭＡＣ−ｈｓの消失と前記伝送資源の維持とを指示することを特徴とする請求項１記載の移動通信システム。
【請求項３】
前記基地局は、前記ＭＡＣ−ｈｓ機能と前記伝送資源とをＮｏｄｅＢ  Ｃｏｍｍｕｎｉｃａｔｉｏｎ  Ｃｏｎｔｅｘｔにて管理することを特徴とする請求項１または請求項２記載の移動通信システム。
【請求項４】
前記基地局制御装置は、前記ＨＳＤＰＡを含むユーザデータ転送に必要となるＭＡＣ−ｄ機能と前記伝送資源とをＣＲＮＣ（Ｃｏｎｔｒｏｌｌｉｎｇ  Ｒａｄｉｏ  Ｎｅｔｗｏｒｋ  Ｃｏｎｔｒｏｌｌｅｒ）  Ｃｏｍｍｕｎｉｃａｔｉｏｎ  Ｃｏｎｔｅｘｔにて管理することを特徴とする請求項１から請求項３のいずれか記載の移動通信システム。
【請求項５】
ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を基地局制御装置から受信するＭＡＣ（Ｍｅｄｉｕｍ  Ａｃｃｅｓｓ  Ｃｏｎｔｒｏｌ）−ｈｓ機能を持つ基地局と前記基地局制御装置との間の伝送資源を用いて前記ＨＳ−ＤＳＣＨの送受信を実現してＨＳＤＰＡ（Ｈｉｇｈ  Ｓｐｅｅｄ  ＤｏｗｎＬｉｎｋ  Ｐａｃｋｅｔ  Ａｃｃｅｓｓ）方式の伝送を行う移動通信システムに用いられる基地局制御装置であって、
移動局から急激な伝搬環境の変化の通知を受けた時に前記基地局に前記ＭＡＣ−ｈｓの消失と前記伝送資源の維持とを指示する手段を有し、
前記基地局に、新たに生成させた前記ＭＡＣ−ｈｓと維持していた伝送資源とを用いて前記移動局のＨＳＤＰＡ利用を再開させることを特徴とする基地局制御装置。
【請求項６】
前記急激な伝搬環境の変化の通知から前記移動局の移動先が同じ基地局の管理下のセルであると判断した時に前記ＭＡＣ−ｈｓの消失と前記伝送資源の維持とを指示することを特徴とする請求項５記載の基地局制御装置。
【請求項７】
前記ＨＳＤＰＡを含むユーザデータ転送に必要となるＭＡＣ−ｄ機能と前記伝送資源とをＣＲＮＣ（Ｃｏｎｔｒｏｌｌｉｎｇ  Ｒａｄｉｏ  Ｎｅｔｗｏｒｋ  Ｃｏｎｔｒｏｌｌｅｒ）  Ｃｏｍｍｕｎｉｃａｔｉｏｎ  Ｃｏｎｔｅｘｔにて管理することを特徴とする請求項５または請求項６記載の基地局制御装置。
【請求項８】
ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を基地局制御装置から受信するＭＡＣ（Ｍｅｄｉｕｍ  Ａｃｃｅｓｓ  Ｃｏｎｔｒｏｌ）−ｈｓ機能を持つ基地局と前記基地局制御装置との間の伝送資源を用いて前記ＨＳ−ＤＳＣＨの送受信を実現してＨＳＤＰＡ（Ｈｉｇｈ  Ｓｐｅｅｄ  ＤｏｗｎＬｉｎｋ  Ｐａｃｋｅｔ  Ａｃｃｅｓｓ）方式の伝送を行う移動通信システムに用いられる基地局装置であって、
前記基地局制御装置からの指示に基づいて前記ＭＡＣ−ｈｓを消失させて前記移動局のＨＳＤＰＡ利用を中断させかつ前記伝送資源を維持する手段を有し、
前記ＭＡＣ−ｈｓを新たに生成しかつ維持していた伝送資源を用いて前記移動局のＨＳＤＰＡ利用を再開させることを特徴とする基地局装置。
【請求項９】
前記基地局制御装置が、前記急激な伝搬環境の変化の通知から前記移動局の移動先が同じ基地局の管理下のセルであると判断した時に前記ＭＡＣ−ｈｓの消失と前記伝送資源の維持とを指示することを特徴とする請求項８記載の基地局装置。
【請求項１０】
前記ＭＡＣ−ｈｓ機能と前記伝送資源とをＮｏｄｅＢ  Ｃｏｍｍｕｎｉｃａｔｉｏｎ  Ｃｏｎｔｅｘｔにて管理することを特徴とする請求項７または請求項８記載の基地局装置。
【請求項１１】
ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を基地局制御装置から受信するＭＡＣ（Ｍｅｄｉｕｍ  Ａｃｃｅｓｓ  Ｃｏｎｔｒｏｌ）−ｈｓ機能を持つ基地局と前記基地局制御装置との間の伝送資源を用いて前記ＨＳ−ＤＳＣＨの送受信を実現してＨＳＤＰＡ（Ｈｉｇｈ  Ｓｐｅｅｄ  ＤｏｗｎＬｉｎｋ  Ｐａｃｋｅｔ  Ａｃｃｅｓｓ）方式の伝送を行う移動通信システムに用いられる伝送資源有効活用方法であって、
前記基地局制御装置が、移動局から急激な伝搬環境の変化の通知を受けた時に前記基地局に前記ＭＡＣ−ｈｓの消失と前記伝送資源の維持とを指示し、
前記基地局が、前記基地局制御装置からの指示に基づいて前記ＭＡＣ−ｈｓを消失させて前記移動局のＨＳＤＰＡ利用を中断させかつ前記伝送資源を維持するとともに、前記ＭＡＣ−ｈｓを新たに生成しかつ維持していた伝送資源を用いて前記移動局のＨＳＤＰＡ利用を再開させることを特徴とする伝送資源有効活用方法。
【請求項１２】
前記基地局制御装置が、前記急激な伝搬環境の変化の通知から前記移動局の移動先が同じ基地局の管理下のセルであると判断した時に前記ＭＡＣ−ｈｓの消失と前記伝送資源の維持とを指示することを特徴とする請求項１１記載の伝送資源有効活用方法。
【請求項１３】
前記基地局が、前記ＭＡＣ−ｈｓ機能と前記伝送資源とをＮｏｄｅＢ  Ｃｏｍｍｕｎｉｃａｔｉｏｎ  Ｃｏｎｔｅｘｔにて管理することを特徴とする請求項１１または請求項１２記載の伝送資源有効活用方法。
【請求項１４】
前記基地局制御装置が、前記ＨＳＤＰＡを含むユーザデータ転送に必要となるＭＡＣ−ｄ機能と前記伝送資源とをＣＲＮＣ（Ｃｏｎｔｒｏｌｌｉｎｇ  Ｒａｄｉｏ  Ｎｅｔｗｏｒｋ  Ｃｏｎｔｒｏｌｌｅｒ）  Ｃｏｍｍｕｎｉｃａｔｉｏｎ  Ｃｏｎｔｅｘｔにて管理することを特徴とする請求項１１から請求項１３のいずれか記載の伝送資源有効活用方法。
【発明の詳細な説明】
【技術分野】
【０００１】
本発明は移動通信システム、基地局制御装置、基地局装置及びそれらに用いる伝送資源有効活用方法に関し、特に下り方向高速パケット伝送方式であるＨＳＤＰＡ（Ｈｉｇｈ  Ｓｐｅｅｄ  ＤｏｗｎＬｉｎｋ  Ｐａｃｋｅｔ  Ａｃｃｅｓｓ）における伝送資源の利用方法に関する。
【背景技術】
【０００２】
標準化プロジェクト３ＧＰＰ（３ｒｄ  Ｇｅｎｅｒａｔｉｏｎ  Ｐａｒｔｎｅｒｓｈｉｐ  Ｐｒｏｊｅｃｔ）において、下り方向高速パケット伝送方式であるＨＳＤＰＡの標準化が行われており（例えば、非特許文献１参照）、このＨＳＤＰＡについては種々の提案が行われている（例えば、特許文献１，２参照）。
【０００３】
ＨＳＤＰＡ導入のためには、基地局（ＮｏｄｅＢ）にＭＡＣ（Ｍｅｄｉｕｍ  Ａｃｃｅｓｓ  Ｃｏｎｔｒｏｌ）−ｈｓ機能が必要である。ＭＡＣ−ｈｓはトランスポートチャネルであるＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を基地局制御装置（ＲＮＣ：Ｒａｄｉｏ  Ｎｅｔｗｏｒｋ  Ｃｏｎｔｒｏｌｌｅｒ）から受信している。
【０００４】
さらに、基地局は移動局（ＵＥ：Ｕｓｅｒ  Ｅｑｕｉｐｍｅｎｔ）に向けて物理チャネルであるＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）を送信している。ＭＡＣ−ｈｓの制御は基地局制御装置がＮＢＡＰ（Ｎｏｄｅ  Ｂ  Ａｐｐｌｉｃａｔｉｏｎ  Ｐａｒｔ）というプロトコルを用いて実行している。
【０００５】
ＨＳ−ＤＳＣＨの送受信は基地局と基地局制御装置との間の伝送資源を用いて実現している。伝送資源としては、ＡＴＭ（Ａｓｙｎｃｈｒｏｎｏｕｓ  Ｔｒａｎｓｆｅｒ  Ｍｏｄｅ）方式がある。以下、伝送資源をＩｕｂ  ＴＢとして示す。ＡＴＭ方式を採用した伝送資源の制御はＱ．ＡＡＬ２［ＱｏＳ（Ｑｕａｌｉｔｙ  ｏｆ  Ｓｅｒｖｉｃｅ）  ｏｐｔｉｍｉｚａｔｉｏｎ  ｆｏｒ  ＡＡＬ（ＡＴＭ  Ａｄａｐｔａｔｉｏｎ  Ｌａｙｅｒ）  ｔｙｐｅ  ２］というプロトコルを用いて実行している。
【０００６】
ＨＳＤＰＡを利用している移動局が移動すると、あるセルＣ１から隣のセルＣ２に移る場合がある。また、その時に急激な伝搬環境の変化があると、セルＣ１からのＨＳＤＰＡの利用を中断しなくてはならないことがある。基地局制御装置は移動局から伝搬環境の変化をＲＲＣ（Ｒａｄｉｏ  Ｒｅｓｏｕｒｃｅ  Ｃｏｎｔｒｏｌ）というプロトコルを用いて実現している。
【０００７】
基地局制御装置は移動局から急激な伝搬環境の変化があることの知らせを受けると、ＭＡＣ−ｈｓの消失を指示している。これによって、ＨＳＤＰＡ利用は中断される。基地局への指示はＮＢＡＰを用いて実現している。ＭＡＣ−ｈｓの消失に際し、Ｉｕｂ  ＴＢも消失している。なぜならば、基地局はＩｕｂ  ＴＢをＭＡＣ−ｈｓと結びつけて管理しているからである。
【０００８】
従来のＨＳＤＰＡ利用時における伝送資源利用方法を図５を参照して説明する。図５（ｂ）は従来方法でのＨＳＤＰＡ利用中断後の状態を表している。図５（ｂ）は、基地局３と基地局制御装置４との間において、図５（ａ）の状態からＭＡＣ−ｈｓとＩｕｂ  ＴＢとの両方を消失してＨＳＤＰＡを移動局（図示せず）が利用できない状態であることを示している。
【０００９】
【特許文献１】特開２００３−１９９１７３号公報
【特許文献２】特開２００３−００９２４７号公報
【非特許文献１】“Ｈｉｇｈ  Ｓｐｅｅｄ  ＤｏｗｎＬｉｎｋ  Ｐａｃｋｅｔ  Ａｃｃｅｓｓ（ＨＳＤＰＡ）”［３ＧＰＰ  ＴＳ  ２５．３０８  Ｖ６．３．０（２００４−１２）］
【発明の開示】
【発明が解決しようとする課題】
【００１０】
しかしながら、従来の伝送資源利用方法では、基地局制御装置がＩｕｂ  ＴＢの再利用を示す手段がないため、基地局はＩｕｂ  ＴＢを後に再利用できる場合かどうかを判断することができない。したがって、基地局はＩｕｂ  ＴＢを消失させてしまう。
【００１１】
また、従来の伝送資源利用方法ではＩｕｂ  ＴＢが消失してしまうため、図５（ｃ）の状態になる時に再びＩｕｂ  ＴＢを追加する必要がある。Ｉｕｂ  ＴＢの追加のためには基地局制御装置と基地局との間に余分なＩｕｂ  ＴＢ追加を示す信号が往復する必要がある。これは基地局制御装置と基地局との間の伝送資源を無駄に使うことになる。
【００１２】
そこで、本発明の目的は上記の問題点を解消し、基地局と基地局制御装置との間の伝送資源を有効活用することができる移動通信システム、基地局制御装置、基地局装置及びそれらに用いる伝送資源有効活用方法を提供することにある。
【課題を解決するための手段】
【００１３】
本発明による移動通信システムは、ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を基地局制御装置から受信するＭＡＣ（Ｍｅｄｉｕｍ  Ａｃｃｅｓｓ  Ｃｏｎｔｒｏｌ）−ｈｓ機能を持つ基地局と前記基地局制御装置との間の伝送資源を用いて前記ＨＳ−ＤＳＣＨの送受信を実現してＨＳＤＰＡ（Ｈｉｇｈ  Ｓｐｅｅｄ  ＤｏｗｎＬｉｎｋ  Ｐａｃｋｅｔ  Ａｃｃｅｓｓ）方式の伝送を行う移動通信システムであって、
前記基地局制御装置は、移動局から急激な伝搬環境の変化の通知を受けた時に前記基地局に前記ＭＡＣ−ｈｓの消失と前記伝送資源の維持とを指示する手段を備え、
前記基地局は、前記基地局制御装置からの指示に基づいて前記ＭＡＣ−ｈｓを消失させて前記移動局のＨＳＤＰＡ利用を中断させかつ前記伝送資源を維持する手段を備え、
前記基地局が、前記ＭＡＣ−ｈｓを新たに生成しかつ維持していた伝送資源を用いて前記移動局のＨＳＤＰＡ利用を再開させている。
【００１４】
本発明による基地局制御装置は、ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を基地局制御装置から受信するＭＡＣ（Ｍｅｄｉｕｍ  Ａｃｃｅｓｓ  Ｃｏｎｔｒｏｌ）−ｈｓ機能を持つ基地局と前記基地局制御装置との間の伝送資源を用いて前記ＨＳ−ＤＳＣＨの送受信を実現してＨＳＤＰＡ（Ｈｉｇｈ  Ｓｐｅｅｄ  ＤｏｗｎＬｉｎｋ  Ｐａｃｋｅｔ  Ａｃｃｅｓｓ）方式の伝送を行う移動通信システムに用いられる基地局制御装置であって、
移動局から急激な伝搬環境の変化の通知を受けた時に前記基地局に前記ＭＡＣ−ｈｓの消失と前記伝送資源の維持とを指示する手段を備え、
前記基地局に、新たに生成させた前記ＭＡＣ−ｈｓと維持していた伝送資源とを用いて前記移動局のＨＳＤＰＡ利用を再開させている。
【００１５】
本発明による基地局装置は、ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を基地局制御装置から受信するＭＡＣ（Ｍｅｄｉｕｍ  Ａｃｃｅｓｓ  Ｃｏｎｔｒｏｌ）−ｈｓ機能を持つ基地局と前記基地局制御装置との間の伝送資源を用いて前記ＨＳ−ＤＳＣＨの送受信を実現してＨＳＤＰＡ（Ｈｉｇｈ  Ｓｐｅｅｄ  ＤｏｗｎＬｉｎｋ  Ｐａｃｋｅｔ  Ａｃｃｅｓｓ）方式の伝送を行う移動通信システムに用いられる基地局装置であって、
前記基地局制御装置からの指示に基づいて前記ＭＡＣ−ｈｓを消失させて前記移動局のＨＳＤＰＡ利用を中断させかつ前記伝送資源を維持する手段を備え、
前記ＭＡＣ−ｈｓを新たに生成しかつ維持していた伝送資源を用いて前記移動局のＨＳＤＰＡ利用を再開させている。
【００１６】
本発明による伝送資源有効活用方法は、ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を基地局制御装置から受信するＭＡＣ（Ｍｅｄｉｕｍ  Ａｃｃｅｓｓ  Ｃｏｎｔｒｏｌ）−ｈｓ機能を持つ基地局と前記基地局制御装置との間の伝送資源を用いて前記ＨＳ−ＤＳＣＨの送受信を実現してＨＳＤＰＡ（Ｈｉｇｈ  Ｓｐｅｅｄ  ＤｏｗｎＬｉｎｋ  Ｐａｃｋｅｔ  Ａｃｃｅｓｓ）方式の伝送を行う移動通信システムに用いられる伝送資源有効活用方法であって、
前記基地局制御装置が、移動局から急激な伝搬環境の変化の通知を受けた時に前記基地局に前記ＭＡＣ−ｈｓの消失と前記伝送資源の維持とを指示し、
前記基地局が、前記基地局制御装置からの指示に基づいて前記ＭＡＣ−ｈｓを消失させて前記移動局のＨＳＤＰＡ利用を中断させかつ前記伝送資源を維持するとともに、前記ＭＡＣ−ｈｓを新たに生成しかつ維持していた伝送資源を用いて前記移動局のＨＳＤＰＡ利用を再開させている。
【００１７】
すなわち、本発明の移動通信システムは、基地局（ＮｏｄｅＢ）と基地局制御装置（ＲＮＣ：Ｒａｄｉｏ  Ｎｅｔｗｏｒｋ  Ｃｏｎｔｒｏｌｌｅｒ）との間に用いられる伝送路において、伝送路上の回線の再利用を可能とすることを特徴としている。
【００１８】
より具体的に説明すると、本発明の移動通信システムでは、基地局が基地局制御装置と伝送資源Ｉｕｂ  ＴＢを用いて接続している。また、基地局はＨＳＤＰＡ（Ｈｉｇｈ  Ｓｐｅｅｄ  ＤｏｗｎＬｉｎｋ  Ｐａｃｋｅｔ  Ａｃｃｅｓｓ）を行う上で必要となるＭＡＣ（Ｍｅｄｉｕｍ  Ａｃｃｅｓｓ  Ｃｏｎｔｒｏｌ）−ｈｓ機能を持っている。さらに、基地局制御装置はＨＳＤＰＡを含むユーザデータ転送に必要となるＭＡＣ−ｄ機能を持っている。
【００１９】
基地局においては、ＭＡＣ−ｈｓ機能を用いて移動局へのユーザデータ転送に必要なＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）という物理チャネルを持つとともに、ＮｏｄｅＢ  Ｃｏｍｍｕｎｉｃａｔｉｏｎ  Ｃｏｎｔｅｘｔという論理的な基本単位を用いて基地局内部のＭＡＣ−ｈｓ、Ｉｕｂ  ＴＢのような資源を管理している。
【００２０】
基地局制御装置はＣＲＮＣ（Ｃｏｎｔｒｏｌｌｉｎｇ  Ｒａｄｉｏ  Ｎｅｔｗｏｒｋ  Ｃｏｎｔｒｏｌｌｅｒ）  Ｃｏｍｍｕｎｉｃａｔｉｏｎ  Ｃｏｎｔｅｘｔという論理的な基本単位を用いて基地局制御装置内部のＭＡＣ−ｄ、Ｉｕｂ  ＴＢのような資源を管理している。
【００２１】
移動局がＨＳＤＰＡを利用可能な状態において、ＨＳＤＰＡを利用している移動局が移動すると、あるセルＣ１から隣のセルＣ２に移る場合がある。また、その時に急激な伝搬環境の変化があると、セルＣ１からのＨＳＤＰＡの利用を中断しなくてはならないことがある。
【００２２】
このようなＨＳＤＰＡの利用を中断した状態においては、ＭＡＣ−ｈｓが消失し、移動局がＨＳＤＰＡを利用することができなくなるが、ＮｏｄｅＢ  Ｃｏｍｍｕｎｉｃａｔｉｏｎ  Ｃｏｎｔｅｘｔ並びにＩｕｂ  ＴＢは残存する状態となる。この状態で、ＭＡＣ−ｈｓが新たに生成されると、移動局が再びＨＳＤＰＡを利用することができる状態となる。
【００２３】
そこで、本発明の移動通信システムでは、基地局制御装置が移動局から急激な伝搬環境の変化があることの知らせを受けた時に、その通知から移動局の移動先が同じ基地局の管理下のセルであると判断した場合、基地局にＭＡＣ−ｈｓの消失を指示すると同時に、Ｉｕｂ  ＴＢを維持することを指示する。
【００２４】
基地局では、基地局制御装置からの指示に基づいて、ＭＡＣ−ｈｓを消失させて移動局のＨＳＤＰＡ利用を中断するとともに、Ｉｕｂ  ＴＢを維持する。この後に、基地局制御装置がＭＡＣ−ｈｓの生成を基地局に指示すると、基地局はＭＡＣ−ｈｓを生成し、維持していたＩｕｂ  ＴＢを用いて移動局のＨＳＤＰＡ利用を再開させる。
【００２５】
上記のようにして、本発明の移動通信システムでは、基地局制御装置が基地局へ行うＭＡＣ−ｈｓ消失の指示に付随してＩｕｂ  ＴＢの再利用を指示することによって、移動局が再びＨＳＤＰＡを利用可能な状態になった場合でもＩｕｂ  ＴＢを再利用しているので、Ｉｕｂ  ＴＢ生成のための信号が不要になり、基地局と基地局制御装置との間の伝送資源を有効活用することが可能となる。
【発明の効果】
【００２６】
本発明は、以下に述べるような構成及び動作とすることで、基地局と基地局制御装置との間の伝送資源を有効活用することができるという効果が得られる。
【発明を実施するための最良の形態】
【００２７】
次に、本発明の実施の形態について図面を参照して説明する。図１（ａ）〜（ｃ）は本発明の実施の形態による移動通信システムにおける伝送資源の有効活用方法を示す図である。この図１を参照して、本発明の実施の形態による移動通信システムにおける伝送資源の有効活用方法について説明する。
【００２８】
図１（ａ）において、基地局（ＮｏｄｅＢ）１は基地局制御装置（ＲＮＣ：Ｒａｄｉｏ  Ｎｅｔｗｏｒｋ  Ｃｏｎｔｒｏｌｌｅｒ）２に伝送資源Ｉｕｂ  ＴＢを用いて接続している。また、基地局１はＨＳＤＰＡ（Ｈｉｇｈ  Ｓｐｅｅｄ  Ｄｏｗｎ  Ｌｉｎｋ  Ｐａｃｋｅｔ  Ａｃｃｅｓｓ）を行う上で必要となるＭＡＣ（Ｍｅｄｉｕｍ  Ａｃｃｅｓｓ  Ｃｏｎｔｒｏｌ）−ｈｓ機能を持っている。さらに、基地局制御装置２はＨＳＤＰＡを含むユーザデータ転送に必要となるＭＡＣ−ｄ機能を持っている。
【００２９】
基地局１においては、ＭＡＣ−ｈｓ機能を用いて移動局（ＵＥ：Ｕｓｅｒ  Ｅｑｕｉｐｍｅｎｔ）（図示せず）へのユーザデータ転送に必要なＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）という物理チャネルを持つとともに、ＮｏｄｅＢ  Ｃｏｍｍｕｎｉｃａｔｉｏｎ  Ｃｏｎｔｅｘｔという論理的な基本単位を用いて基地局１内部のＭＡＣ−ｈｓ、Ｉｕｂ  ＴＢのような資源を管理している。
【００３０】
基地局制御装置２はＣＲＮＣ（Ｃｏｎｔｒｏｌｌｉｎｇ  Ｒａｄｉｏ  Ｎｅｔｗｏｒｋ  Ｃｏｎｔｒｏｌｌｅｒ）  Ｃｏｍｍｕｎｉｃａｔｉｏｎ  Ｃｏｎｔｅｘｔという論理的な基本単位を用いて基地局制御装置２内部のＭＡＣ−ｄ、Ｉｕｂ  ＴＢのような資源を管理している。
【００３１】
図１（ａ）においては、移動局がＨＳＤＰＡを利用可能な状態を表している。ＨＳＤＰＡを利用している移動局が移動すると、あるセルＣ１から隣のセルＣ２に移る場合がある。また、その時に急激な伝搬環境の変化があると、セルＣ１からのＨＳＤＰＡの利用を中断しなくてはならないことがある。この場合、基地局制御装置２は移動局から急激な伝搬環境の変化があることの知らせを受けることとなる。
【００３２】
基地局制御装置２はその移動局からの通知を基に、移動局の移動先が同じ基地局１が管理するセルであることを知ると、基地局１にＭＡＣ−ｈｓの消失を指示すると同時に、Ｉｕｂ  ＴＢを維持することも指示する。基地局１はＭＡＣ−ｈｓを消失させて移動局のＨＳＤＰＡ利用を中断させるが、Ｉｕｂ  ＴＢを維持する。
【００３３】
図１（ｂ）は上記のようなＨＳＤＰＡ利用中断後の状態を表している。すなわち、図１（ｂ）は図１（ａ）の状態からＭＡＣ−ｈｓが消失し、ＨＳＤＰＡを移動局が利用できなくなっているが、ＮｏｄｅＢ  Ｃｏｍｍｕｎｉｃａｔｉｏｎ  Ｃｏｎｔｅｘｔ並びにＩｕｂ  ＴＢが残存している状態を表している。
【００３４】
この後に、基地局制御装置２はＭＡＣ−ｈｓの生成を基地局１に指示する。基地局１は基地局制御装置２からの指示に基づいてＭＡＣ−ｈｓを生成し、維持していたＩｕｂ  ＴＢを用いて移動局のＨＳＤＰＡ利用を再開する。図１（ｃ）は図１（ｂ）の状態から遷移し、ＭＡＣ−ｈｓが新たに生成され、移動局が再びＨＳＤＰＡを利用することができる状態を表している。
【００３５】
このように、本発明の実施の形態では、移動局が再びＨＳＤＰＡを利用可能な状態になった場合でもＩｕｂ  ＴＢを再利用しているので、基地局１と基地局制御装置２との間の伝送資源を有効活用することができる。
【実施例１】
【００３６】
次に、本発明の一実施例について図面を参照して説明する。本発明の一実施例による移動通信システムの構成は上記の図１に示す本発明の実施の形態による移動通信システムと同様に、図示せぬ移動局と、基地局１と、基地局制御装置２とから構成されている。
【００３７】
図２は本発明の一実施例による基地局の構成を示すブロック図である。図２において、基地局１は装置内の各部を制御するＣＰＵ（中央処理装置）１１と、ＣＰＵ１１が実行する制御プログラム１２ａを格納するメインメモリ１２と、ＭＡＣ−ｈｓの生成・消失を行うための情報を保持するＭＡＣ−ｈｓ情報保持部１３１及びＩｕｂ  ＴＢの生成・維持・消失を行うための情報を保持するＩｕｂ  ＴＢ情報保持部１３２を備えた記憶装置１３と、移動局との間の無線通信を制御する無線通信制御部１４と、基地局制御装置２側との通信を制御するＲＮＣ側通信制御部１５と、アンテナ１６とから構成されている。尚、基地局１内において、ＣＰＵ１１と、メインメモリ１２と、記憶装置１３と、無線通信制御部１４と、ＲＮＣ側通信制御部１５とは内部バス１１０にて互いに接続されている。
【００３８】
図３は本発明の一実施例による基地局制御装置の構成を示すブロック図である。図３において、基地局制御装置２は装置内の各部を制御するＣＰＵ２１と、ＣＰＵ２１が実行する制御プログラム２２ａを格納するメインメモリ２２と、ＭＡＣ−ｄの生成・消失を行うための情報を保持するＭＡＣ−ｄ情報保持部２３１及び基地局１にＩｕｂ  ＴＢの生成・維持・消失を行わせるための情報を保持するＩｕｂ  ＴＢ情報保持部２３２を備えた記憶装置２３と、基地局１側との通信を制御する基地局側通信制御部２４と、図示せぬ移動交換局側との通信を制御する移動交換局側通信制御部２５とから構成されている。尚、基地局制御装置２内において、ＣＰＵ２１と、メインメモリ２２と、記憶装置２３と、基地局側通信制御部２４と、移動交換局側通信制御部２５とは内部バス２１０にて互いに接続されている。
【００３９】
本実施例において、上述した基地局１、基地局制御装置２、ＭＡＣ−ｈｓ、ＭＡＣ−ｄについては、当業者にとってよく知られているので、それらの詳細な説明については省略する。
【００４０】
図４は本発明の一実施例による移動通信システムの動作を示すシーケンスチャートである。これら図１〜図４を参照して本発明の一実施例による移動通信システムの動作について説明する。尚、図４における基地局１の動作はＣＰＵ１１が制御プログラム１２ａを実行することで実現され、基地局制御装置２の動作はＣＰＵ２１が制御プログラム２２ａを実行することで実現される。
【００４１】
本発明の一実施例による移動通信システムでは、初期状態において移動局がＨＳＤＰＡを利用可能となっている（図４のａ１）。この状態で、基地局制御装置２は電波伝搬環境の悪化が移動局から伝えられると（図４のａ２）、同じ基地局１管理下のセルにて新たにＨＳＤＰＡ利用が可能となるものと判断する（図４のａ３）。
【００４２】
基地局制御装置２はこの判断に基づいて、基地局１にＭＡＣ−ｈｓの消失とＩｕｂ  ＴＢの維持とを指示する（図４のａ４）。基地局１は基地局制御装置２からの指示に基づいて、ＭＡＣ−ｈｓを消失させ、Ｉｕｂ  ＴＢを維持する（図４のａ５）。これによって、移動局はＨＳＤＰＡを利用することができなくなる（図４のａ６）。
【００４３】
この後に、基地局制御装置２は基地局１にＭＡＣ−ｈｓの生成を指示する（図４のａ７）。基地局１は基地局制御装置２からの指示に基づいて、ＭＡＣ−ｈｓを生成し、維持しているＩｕｂ  ＴＢを再利用する（図４のａ８）。基地局制御装置２がＨＳＤＰＡ利用再開が可能になったことを移動局に通知すると（図４のａ９）、移動局は再びＨＳＤＰＡを利用可能となる（図４のａ１０）。
【００４４】
このように、本実施例では、基地局制御装置２がＩｕｂ  ＴＢを再利用することを基地局１に示しているので、基地局１と基地局制御装置２との間のＩｕｂ  ＴＢ生成のための信号が不要になり、伝送資源を有効活用することができる。
【図面の簡単な説明】
【００４５】
【図１】（ａ）〜（ｃ）は本発明の実施の形態による移動通信システムにおける伝送資源の有効活用方法を示す図である。
【図２】本発明の一実施例による基地局の構成を示すブロック図である。
【図３】本発明の一実施例による基地局制御装置の構成を示すブロック図である。
【図４】本発明の一実施例による移動通信システムの動作を示すシーケンスチャートである。
【図５】（ａ）〜（ｃ）は従来例による移動通信システムにおける伝送資源の利用方法を示す図である。
【符号の説明】
【００４６】
１  基地局
２  基地局制御装置
１１，２１  ＣＰＵ
１２，２２  メインメモリ
１２ａ，２２ａ  制御プログラム
１３，２３  記憶装置
１４  無線通信制御部
１５  ＲＮＣ側通信制御部
１６  アンテナ
２４  基地局側通信制御部
２５  移動交換局側通信制御部
１１０，２１０  内部バス
１３１  ＭＡＣ−ｈｓ情報保持部
１３２，２３２  Ｉｕｂ  ＴＢ情報保持部
２３１  ＭＡＣ−ｄ情報保持部
【図１】
2006229380.tif 000003
【図２】
2006229380.tif 000004
【図３】
2006229380.tif 000005
【図４】
2006229380.tif 000006
【図５】
2006229380.tif 000007